(57)【特許請求の範囲】
【請求項１】
車両の現在位置を検出する現在位置検出手段、前記現在位置検出手段で検出した車両のエンジンをＯＦＦした地点の立ち寄り回数を含む履歴データを記憶する記憶手段、特定の地点を登録する地点登録手段、前記記憶手段に記憶された前記履歴データを読み出して出力する制御手段、前記制御手段から出力された前記履歴データを送信する送信手段を備えた車両用ナビゲーション装置と、
各車両用ナビゲーション装置から送信される前記履歴データを受信して統計処理する手段を備えたサーバとからなり、
前記車両用ナビゲーション装置の制御手段は、前記地点登録手段により特定の地点が登録されているとき、該特定の地点から所定距離以内のデータを除いて前記履歴データを出力することを特徴とするナビゲーションシステム。
【請求項２】
前記サーバは、ジャンル分けした地点検索用データを作成することを特徴とする請求項１記載のナビゲーションシステム。
【請求項３】
車両の現在位置を検出する現在位置検出手段、前記現在位置検出手段で検出した車両のエンジンをＯＦＦした地点の立ち寄り回数を含む履歴データを記憶する記憶手段、特定の地点を登録する地点登録手段、前記記憶手段に記憶された前記履歴データを読み出して出力する制御手段、前記制御手段から出力された前記履歴データを送信する送信手段を備えた車両用ナビゲーション装置から送信される前記履歴データを受信して統計処理する機能を備えたサーバから車両に対して必要な情報を提供するナビゲーション方法であって、
前記車両用ナビゲーション装置の制御手段は、前記地点登録手段により特定の地点が登録されているとき、該特定の地点から所定距離以内のデータを除いて前記履歴データを出力することを特徴とするナビゲーション方法。
【発明の詳細な説明】
【技術分野】
【０００１】
本発明はユーザが良く行く地点を収集し、お勧め地点として提供するナビゲーションシステム及びプログラムに関する。
【背景技術】
【０００２】
従来のナビゲーションシステムにおいて、行きたい場所を設定する場合に、記憶媒体に記憶されているデータベースから地点データを検索することが行われている。また、外部のセンタに記憶媒体を設置し、各車両のナビゲーションシステムからセンタへ地点検索要求するシステムも知られている。
【０００３】
また、車両からの要求により情報センタで経路探索して車両へ提供するシステムにおいて、複数の車両から送られる目的地データを集計して目的地として設定された施設データベースを構築し、車両からのジャンル検索要求に応じて、施設データベースから目的地設定頻度の高い順に検索して車両へ提供するものも提案されている（特許文献１）。
【特許文献１】特開２００３−５０１３５号公報
【発明の開示】
【発明が解決しようとする課題】
【０００４】
しかし、記憶媒体に記憶されている既存のデータベースを使用して地点検索するだけでは、ユーザが知らない土地へ行った場合に人気の施設や店舗がどこにあるか等を知ることができない。
また、特許文献１に記載されているように複数の車両から送信される目的地を集計して目的地設定頻度の高い順に施設データを構築する方法では、各車両のみがよく目的地として設定する地点、例えば、親戚の家のようなデータも含まれてしまうため、各車両だけの好みが反映しすぎて多くの車両の平均的な人気の度合いを反映しない可能性がある。
【課題を解決するための手段】
【０００５】
本発明は上記課題を解決しようとするものであり、ユーザが良く行く地点を収集し、お勧め地点として提供することを目的とする。
本発明のナビゲーションシステムは、車両の現在位置を検出する現在位置検出手段、前記現在位置検出手段で検出した車両のエンジンをＯＦＦした地点の立ち寄り回数を含む履歴データを記憶する記憶手段、特定の地点を登録する地点登録手段、前記記憶手段に記憶された前記履歴データを読み出して出力する制御手段、前記制御手段から出力された前記履歴データを送信する送信手段を備えた車両用ナビゲーション装置と、各車両用ナビゲーション装置から送信される前記履歴データを受信して統計処理する手段を備えたサーバとからなり、前記車両用ナビゲーション装置の制御手段は、前記地点登録手段により特定の地点が登録されているとき、該特定の地点から所定距離以内のデータを除いて前記履歴データを出力することを特徴とする。
また本発明は、車両の現在位置を検出する現在位置検出手段、前記現在位置検出手段で検出した車両のエンジンをＯＦＦした地点の立ち寄り回数を含む履歴データを記憶する記憶手段、特定の地点を登録する地点登録手段、前記記憶手段に記憶された前記履歴データを読み出して出力する制御手段、前記制御手段から出力された前記履歴データを送信する送信手段を備えた車両用ナビゲーション装置から送信される前記履歴データを受信して統計処理する機能を備えたサーバから車両に対して必要な情報を提供するナビゲーション方法であって、前記車両用ナビゲーション装置の制御手段は、前記地点登録手段により特定の地点が登録されているとき、該特定の地点から所定距離以内のデータを除いて前記履歴データを出力することを特徴とする。
【発明の効果】
【０００６】
本発明によれば、ユーザが良く行く地点を収集してお勧め地点として提供することが可能となる。
【発明を実施するための最良の形態】
【０００７】
以下、実施の形態について説明する。
図１は本実施形態に係るナビゲーションシステムを説明する図である。
各車両にはナビゲーション装置１−１、１−２……が搭載されており、各ナビゲーション装置は、自車両の現在位置に関する情報を検出する現在位置検出手段２、現在位置検出手段２で検出したエンジンＯＦＦしたときの地点を、例えば１ケ月分や２ケ月分等の履歴データとして記憶する記憶手段３、自宅等を地点登録する地点登録手段４、記憶手段３に記憶された履歴データを読み出して出力する制御手段５、制御手段５から出力される履歴データをサーバ１０に対して送信し、必要な情報をサーバから受信する送受信手段６とを備えている。
【０００８】
サーバ１０は各車両から送られるデータを受信し、必要な情報を送信する送受信手段１１、送受信手段１１で受信した各車両のナビゲーション装置から送信される履歴データを統計処理する手段１２を有し、統計処理して作成したお勧め地点の情報を送受信手段１１を通して各車両に提供する。
【０００９】
本実施形態では、ユーザがよく行く地点を漏れなく収集するために、ユーザが能動的に特定の操作をすることなく、エンジンＯＦＦした地点を現在位置検出手段で検出し、この地点を行った地点として自動的に記憶する。しかし、エンジンＯＦＦした地点を記憶すると、例えば、自宅や勤務先等の特定の地点が最も多く記憶されてしまうことになる。そこで、ナビゲーション装置が地点登録手段４で自宅や勤務先、或いは自宅付近の駐車場や勤務先の駐車場等を地点登録している場合には、制御手段５はその特定地点の座標から所定距離以内のデータは除いて送受信手段６に対して出力するようにする。
【００１０】
しかし、自宅や勤務先等の特定の地点を地点登録していない車両の場合には、ユーザが削除等の操作をしない限り自宅や勤務先等の特定の地点やその付近のデータも送信されることになる。そこで、サーバ１０では、特定の車両からのみ送信されてくる履歴データは除外して統計処理を行う。例えば、自宅や勤務先等の特定の地点やその付近のデータは特定車両からしか送信されることがないので、このような統計処理により自宅や勤務先等の特定の地点やその付近のデータを除くことができる。なお、一家で２台以上の車を所持している場合もあるので、サーバ側では、車両が異なっていても座標データが接近しているような場合には、これらのデータは除くようにする。こうして、統計処理することにより誰もがよく行く地点、すなわち人気の高い地点を順にランキング付けした施設等の地点データを作成して提供することができる。
【００１１】
次に、図２、図３により本実施形態に係るナビゲーションシステムをより詳細に説明する。
図２は各車両のナビゲーションシステムからサーバへ送信される履歴データを説明する図である。
この例では、各ユーザから２〜３月のローカルなデータがサーバ１０へ送られるものとしている。送信されるデータは、エンジンＯＦＦした地点の座標（東経、北緯）と、立ち寄り回数である。例えば、ユーザ１は、立寄回数が自宅４０回、Ａ遊園地１１回、Ｂ動物園８回、ユーザ２は、自宅５３回、Ｃ公園１５回、Ｄショップ１１回、ユーザ３は、自宅３９回、Ａ遊園地５回、Ｃ公園２回である。ここでは、ユーザ１、ユーザ２が自宅を地点登録していると仮定し、そのためユーザ１、ユーザ２からは自宅のデータはサーバへ送信されないが、ユーザ３は自宅を地点登録していないため、ユーザが削除しない限り自宅のデータも送信される。
【００１２】
図３は履歴データを受信したサーバ側での処理を説明する図である。
ユーザ１からは自宅のデータが除かれたＡ遊園地１１回、Ｂ動物園８回とそれらの座標データ、ユーザ２からは自宅のデータが除かれたＣ公園１５回、Ｄショップ１１回とそれらの座標データ、ユーザ３からは、自宅３９回、Ａ遊園地５回、Ｃ公園２回とそれらの座標データが送られている。サーバ側では、これらの受信データを立ち寄り回数の多い順に並べ替える。この並べ替処理で、ユーザ３自宅３９回、Ｃ公園１５回、Ａ遊園地１１回、Ｄショップ１１回、Ｂ動物園８回、Ａ遊園地５回、Ｃ公園２回となる。そして、ユーザ３自宅、Ｄショップ、Ｂ動物園はそれぞれ１台の車両からしか送られてきていないので採用せず、他のデータを集計処理する。この集計処理により最終的なデータとして、Ｃ公園１７回、Ａ遊園地１６回とランキング付けした履歴データが作成される。このデータは、各ナビゲーションシステムから要求があれば地点検索用データとして提供される。なお、娯楽施設、店、公共施設等のようにジャンル分けして地点検索用データを作成すれば、ユーザの希望するジャンルについて人気の高い地点を提供することができ、一層、ユーザのニーズに対応することが可能である。
【産業上の利用可能性】
【００１３】
本発明によれば、ユーザが良く行く地点をお勧め地点として提供することができるので産業上の利用価値は極めて大きい。
【図面の簡単な説明】
【００１４】
【図１】本実施形態に係るナビゲーションシステムの例を示す図である。
【図２】各車両のシステムからサーバへ送信される履歴データを説明する図である。
【図３】サーバ側での処理を説明する図である。
【符号の説明】
【００１５】
１−１，１−２……車両用ナビゲーション装置、２…現在位置検出手段、３…記憶手段、４…地点登録手段、５…制御手段、６…送受信手段、１０…サーバ、１１…送受信手段、１２…統計処理手段。
【図１】
0004697574.tif 000002
【図２】
0004697574.tif 000003
【図３】
0004697574.tif 000004